(57)【特許請求の範囲】
【請求項１】
上方へ立ち上がる一連の立上条を設けて、この立上条にて浴槽を載置する浴槽載置部およびこの浴槽載置部と隣接する洗い場部を分離して形成している浴室床パンであって、上記浴槽のエプロン両端側で上記浴槽載置部側の浴室壁面に水返しを設けるとともに、この水返しからの水を排水口まで導く導水路を設けたことを特徴とする浴室床パン。
【請求項２】
上記浴室壁面に上記浴槽のエプロンの端部を引っ掛けて固定するエプロン固定部材を設けたことを特徴とする請求項１記載の浴室床パン。
【請求項３】
上記エプロン固定部材が、上記水返しを兼ねているものであることを特徴とする請求項２記載の浴室床パン。
【請求項４】
上記水返しと上記導水路とが、上記立上条の近傍にそれぞれ設けられていることを特徴とする請求項１ないし請求項３いずれか記載の浴室床パン。
【発明の詳細な説明】
【０００１】
【発明の属する技術分野】
本発明は、浴室床パンに関し、さらに詳しくは、浴室の床として設置するのに有用な浴室床パンに関するものである。
【０００２】
【従来の技術】
従来から、図９および図１０に示すごとく、上方へ立ち上がる一連の立上条（１）を設けて、この立上条（１）にて浴槽（２）を載置する浴槽載置部（３）およびこの浴槽載置部（３）と隣接する洗い場部（４）を分離して形成しているような浴室床パンが知られていたものであった。
【０００３】
【発明が解決しようとする課題】
しかしながら、このような浴室床パンにおいては、浴槽（２）のエプロンを容易に脱着することができるように、図９に示すごときエプロンと浴室壁面（６）との間にクリアランス（隙間）を設けているものであった。そのために、使用者が湯水を洗い場部（４）で流したり、清掃時のシャワー水などを流したりすると、上述のクリアランスから浴槽載置部（３）の方へ湯水が同図９の矢印（Ｂ）に示すごとき流入して、清掃し難い浴槽（２）の下側、すなわち、同浴槽載置部（３）の床パン面上まで流れ込んでしまい、結果的には、汚れの原因となっていたものであった。
【０００４】
本発明は、上述の事実に鑑みてなされたものであって、その目的とするところは、浴槽の下側まで湯水が流れ込むのを確実に防止することができる浴室床パンを提供することにある。
【０００５】
【課題を解決するための手段】
本発明の請求項１に係る浴室床パンは、上方へ立ち上がる一連の立上条（１）を設けて、この立上条（１）にて浴槽（２）を載置する浴槽載置部（３）およびこの浴槽載置部（３）と隣接する洗い場部（４）を分離して形成している浴室床パンであって、上記浴槽（２）のエプロン（５）両端側で上記浴槽載置部（３）側の浴室壁面（６）に水返し（７）を設けるとともに、この水返し（７）からの水を排水口（８）まで導く導水路（９）を設けたことを特徴とする。
【０００６】
本発明の請求項２に係る浴室床パンは、上記浴室壁面（６）に上記浴槽（２）のエプロン（５）の端部を引っ掛けて固定するエプロン固定部材（１０）を設けたことを特徴とする。
【０００７】
本発明の請求項３に係る浴室床パンは、上記エプロン固定部材（１０）が、上記水返し（７）を兼ねているものであることを特徴とする。
【０００８】
本発明の請求項４に係る浴室床パンは、上記水返し（７）と上記導水路（９）とが、上記立上条（１）の近傍にそれぞれ設けられていることを特徴とする。
【０００９】
【発明の実施の形態】
以下、本発明を実施形態に係る図面に基づいてそれぞれ詳しく説明する。
【００１０】
図１は、本発明の一実施形態に係る浴室床パンを示した要部のみの斜視図である。図２は、本発明の他の一実施形態に係る浴室床パンを示した要部のみの斜視図である。図３は、本発明の一実施形態に係る浴室床パンの全体の概略を示した斜視図である。図４は、本発明の浴室床パンにおいて、一実施形態に係るエプロン固定部材の周辺の様子を示した断面図である。
【００１１】
本発明の浴室床パンは、図１ないし図４に示すごとく、上方へ立ち上がる一連の立上条（１）を設けて、この立上条（１）にて浴槽（２）を載置する浴槽載置部（３）およびこの浴槽載置部（３）と隣接する洗い場部（４）を分離して形成している浴室床パンであって、上記浴槽（２）のエプロン（５）両端側で上記浴槽載置部（３）側の浴室壁面（６）に水返し（７）を設けるとともに、この水返し（７）からの水を排水口（８）まで導く導水路（９）を設けているものである。
【００１２】
上記立上条（１）は、図１ないし図３に示すごとく、上方へ立ち上がっているものであって、一連のものである。この立上条（１）の立ち上がり高さや形状などは、特に制限されることはないものである。
【００１３】
上記浴槽載置部（３）は、図３に示すごとく、浴槽（２）を載置するところである。この浴槽載置部（３）は、使用者が体を洗ったり、シャワーを流すことができる洗い場部（４）と隣接しているものである。具体的には、上記立上条（１）の存在により、この浴槽載置部（３）と洗い場部（４）とを分離して形成しているものである。なお、浴槽載置部（３）と洗い場部（４）とを分離して形成することができていれば、上記立上条（１）は、浴室床パンの中程に形成されているものとは限らず、浴槽載置部（３）と洗い場部（４）とのそれぞれの必要スペースに応じて、同立上条（１）の立ち上げ位置を自由自在に設定してもかまわないものである。
【００１４】
上記水返し（７）は、図１、図２および図４に示すごとく、上記浴槽（２）のエプロン（５）両端側で形成されているものであって、上記浴槽載置部（３）側の浴室壁面（６）に設けられているものである。上記浴槽載置部（３）側の浴室壁面（６）に当たって伝ってきたような湯水が、この水返し（７）の存在により、図１および図２のそれぞれ矢印（Ａ）に示すごとき、浴槽載置部（３）側の奥側まで流れ込むことなく、下方へ向けて折り返すように流すことができるものである。そして、この水返し（７）のサイズや形状としては、上述したように湯水を下方へ向けて折り返すように流すことができるものであれば、特に制限されるものではないものである。なお、この水返し（７）の下側で、浴室壁面（６）の下端部に湯水を確実に下方の導水路（９）へ導くことができるように、補助凸部（１６）が設けられていてもかまわないものである。
【００１５】
上記導水路（９）は、図１ないし図３に示すごとき上記水返し（７）からの水を排水口（８）まで導くものである。この導水路（９）は、使用された湯水で、しかも、上記浴槽載置部（３）側の床パンに浸入してきた湯水を排水するためのものであり、湯水を浴室から外へ導く排水口（８）を適宜箇所に設けているものである。この排水口（８）は、一箇所に設けられていてもかまわないし、二箇所以上の複数箇所に設けられていてもかまわないものである。また、排水口（８）の設けられている位置は、通常上記導水路（９）の端部に形成されているものであるが、湯水を浴室から外へ確実に導くことができれば、その他の位置に形成されていてもかまわないものである。
【００１６】
本発明は、このような構成をとることによって、浴槽（２）のエプロン（５）を容易に脱着することができるように、エプロン（５）と浴室壁面（６）との間にクリアランスを設けたとしても、使用者が湯水を洗い場部（４）で流したり、清掃時のシャワー水などを流したりする際、水返し（７）の存在により、浴槽載置部（３）側の浴室壁面（６）に当たって伝ってきたような湯水が、図１および図２のそれぞれ矢印（Ａ）に示すごとき、浴槽載置部（３）側の奥側まで流れ込むことなく、下方へ向けて折り返すように流すことができるものであり、結果として、水返し（７）からの水を導水路（９）へ落として排水口（８）まで導くことができるものであり、浴槽（２）の下側まで湯水が流れ込むのを確実に防止することができるものである。
【００１７】
すなわち、本発明は、浴槽（２）の下側まで湯水が流れ込むのを確実に防止することができるものである。そして、本発明は、汚れの発生原因を抑止することができるものである。
【００１８】
また、図１、図２および図４に示すごとく、上記浴室壁面（６）に上記浴槽（２）のエプロン（５）の端部を引っ掛けて固定するエプロン固定部材（１０）を設けているものであると、浴室壁面（６）に設けられている浴槽（２）のエプロン（５）の端部を引っ掛けて固定するエプロン固定部材（１０）の存在により、エプロン（５）と浴室壁面（６）との間の隙間をなくして、浴槽載置部（３）側の床パン面への湯水の浸入を防止することができる上に、エプロン（５）の取り付け固定としては、床パン面に孔を開けて取り付けるような必要がなくなり、エプロン（５）の取り外しとしても、簡単に行うことができるものである。
【００１９】
上記エプロン固定部材（１０）としては、例えば、図４に示すごとく、ネジ、ビスなどの固定具（１１）にて上記浴室壁面（６）に取り付け固定して設けられているものである。
【００２０】
そして、上述の図１、図２および図４に示すごとき場合の優れる点を図５ないし図８に示すごとき場合を用いて、比較する。
【００２１】
まず、図５の（ａ）および（ｂ）に示すごとき場合であると、上記エプロン固定部材（１０）は、固定板（１２）とネジ体（１３）とを介して固定されるものであるが、エプロン（５）の取り外しの際に、ネジ体（１３）をゆるめた後に、固定板（１２）を上げる必要があり、現場でのエプロン（５）の取り外しは、非常に行い難いものである。それに対して、上述の図１、図２および図４に示すごとき場合であると、エプロン（５）の取り付け固定としては、床パン面に孔を開けて取り付けるような必要がなくなり、エプロン（５）の取り外しとしても、簡単に行うことができるものである。
【００２２】
次に、図６の（ａ）および（ｂ）に示すごとき場合であると、上記エプロン固定部材（１０）は、エプロン（５）の裏側から取り付けて固定される後エプロン固定部材（１０ａ）と同エプロン（５）の表側から取り付けて固定される前エプロン固定部材（１０ｂ）とからなっており、この後エプロン固定部材（１０ａ）と前エプロン固定部材（１０ｂ）とでエプロン（５）を挟み込むようにして取り付け固定されているものであるが、エプロン（５）の取り外しの際に、前エプロン固定部材（１０ｂ）を回す必要があり、現場でのエプロン（５）の取り外しは、非常に行い難いものである。それに対して、上述の図１、図２および図４に示すごとき場合であると、エプロン（５）の取り付け固定としては、床パン面に孔を開けて取り付けるような必要がなくなり、エプロン（５）の取り外しとしても、エプロン固定部材を回すような作業はなくて、簡単に行うことができるものである。
【００２３】
また、図７の（ａ）および（ｂ）、図８に示すごとき場合であると、上記エプロン固定部材（１０）は、ネジ体（１３）にて立上条（１）の頂部に設けられた取付孔（１４）を介して取り付けられているものであり、エプロン（５）としては同エプロン（５）の裏側に設けられた差込片（１５）を上記エプロン固定部材（１０）に差し込むことで取り付けられるものであるが、このエプロン固定部材（１０）を立上条（１）に固定しているために、取付孔（１４）から湯水が浸入しやすいものであり、結果として、床パン面の裏側まで湯水が浸入してしまうものであり、浴槽載置部（３）側の床パン面への湯水の浸入を防止することができないものである。それに対して、上述の図１、図２および図４に示すごとき場合であると、浴槽載置部（３）側の床パン面への湯水の浸入を防止することができるものである。
【００２４】
さらに、図１、図２および図４に示すごとく、上記エプロン固定部材（１０）が、上記水返し（７）を兼ねているものであると、水返し（７）を兼ねているエプロン固定部材（１０）により、エプロン（５）の取り付け固定としては、床パン面に孔を開けて取り付けるような必要がなくなり、エプロン（５）の取り外しとしても、簡単に行うことができる上に、エプロン（５）と浴室壁面（６）との間の隙間をなくしながら、浴室壁面（６）に当たって伝ってきたような湯水を下方へ向けて折り返すように流すことができて、浴槽載置部（３）側の床パン面への湯水の浸入をより一層確実に防止することができるものである。
【００２５】
そして、図１ないし図３に示すごとく、上記水返し（７）と上記導水路（９）とが、上記立上条（１）の近傍にそれぞれ設けられているものであると、立上条（１）の近傍にそれぞれ設けられている水返し（７）と導水路（９）とにより、浴室壁面（６）に当たって伝ってきたような湯水を下方へ向けて折り返すように流すことができて、導水路（９）から排水口（８）を通って、浴室から外へ排水すを導くことで、浴槽載置部（３）側の床パン面への湯水の浸入をより一層確実に防止することができるものである。
【００２６】
本発明の浴室床パンによると、図１ないし図４に示すごとく、上方へ立ち上がる一連の立上条（１）を設けて、この立上条（１）にて浴槽（２）を載置する浴槽載置部（３）およびこの浴槽載置部（３）と隣接する洗い場部（４）を分離して形成している浴室床パンであって、上記浴槽（２）のエプロン（５）両端側で上記浴槽載置部（３）側の浴室壁面（６）に水返し（７）を設けるとともに、この水返し（７）からの水を排水口（８）まで導く導水路（９）を設けたので、浴槽（２）のエプロン（５）を容易に脱着することができるように、エプロン（５）と浴室壁面（６）との間にクリアランスを設けたとしても、使用者が湯水を洗い場部（４）で流したり、清掃時のシャワー水などを流したりする際、水返し（７）の存在により、浴槽載置部（３）側の浴室壁面（６）に当たって伝ってきたような湯水が、図１および図２のそれぞれ矢印（Ａ）に示すごとき、浴槽載置部（３）側の奥側まで流れ込むことなく、下方へ向けて折り返すように流すことができるものであり、結果として、水返し（７）からの水を導水路（９）へ落として排水口（８）まで導くことができるものであり、浴槽（２）の下側まで湯水が流れ込むのを確実に防止することができるものである。
【００２７】
すなわち、本発明は、浴槽（２）の下側まで湯水が流れ込むのを確実に防止することができるものである。そして、本発明は、汚れの発生原因を抑止することができるものである。
【００２８】
【発明の効果】
本発明の請求項１に係る浴室床パンによると、浴槽（２）のエプロン（５）を容易に脱着することができるように、エプロン（５）と浴室壁面（６）との間にクリアランスを設けたとしても、使用者が湯水を洗い場部（４）で流したり、清掃時のシャワー水などを流したりする際、水返し（７）の存在により、浴槽載置部（３）側の浴室壁面（６）に当たって伝ってきたような湯水が、浴槽載置部（３）側の奥側まで流れ込むことなく、下方へ向けて折り返すように流すことができるものであり、結果として、水返し（７）からの水を導水路（９）へ落として排水口（８）まで導くことができるものであり、浴槽（２）の下側まで湯水が流れ込むのを確実に防止することができるものである。
【００２９】
すなわち、本発明は、浴槽（２）の下側まで湯水が流れ込むのを確実に防止することができるものである。そして、本発明は、汚れの発生原因を抑止することができるものである。
【００３０】
本発明の請求項２に係る浴室床パンによると、請求項１記載の場合に加えて、浴室壁面（６）に設けられている浴槽（２）のエプロン（５）の端部を引っ掛けて固定するエプロン固定部材（１０）の存在により、エプロン（５）と浴室壁面（６）との間の隙間をなくして、浴槽載置部（３）側の床パン面への湯水の浸入を防止することができる上に、エプロン（５）の取り付け固定としては、床パン面に孔を開けて取り付けるような必要がなくなり、エプロン（５）の取り外しとしても、簡単に行うことができるものである。
【００３１】
本発明の請求項３に係る浴室床パンによると、請求項２記載の場合に加えて、水返し（７）を兼ねているエプロン固定部材（１０）により、エプロン（５）の取り付け固定としては、床パン面に孔を開けて取り付けるような必要がなくなり、エプロン（５）の取り外しとしても、簡単に行うことができる上に、エプロン（５）と浴室壁面（６）との間の隙間をなくしながら、浴室壁面（６）に当たって伝ってきたような湯水を下方へ向けて折り返すように流すことができて、浴槽載置部（３）側の床パン面への湯水の浸入をより一層確実に防止することができるものである。
【００３２】
本発明の請求項４に係る浴室床パンによると、請求項１ないし請求項３いずれか記載の場合に加えて、立上条（１）の近傍にそれぞれ設けられている水返し（７）と導水路（９）とにより、浴室壁面（６）に当たって伝ってきたような湯水を下方へ向けて折り返すように流すことができて、導水路（９）から排水口（８）を通って、浴室から外へ排水すを導くことで、浴槽載置部（３）側の床パン面への湯水の浸入をより一層確実に防止することができるものである。
【図面の簡単な説明】
【図１】本発明の一実施形態に係る浴室床パンを示した要部のみの斜視図である。
【図２】本発明の他の一実施形態に係る浴室床パンを示した要部のみの斜視図である。
【図３】本発明の一実施形態に係る浴室床パンの全体の概略を示した斜視図である。
【図４】本発明の浴室床パンにおいて、一実施形態に係るエプロン固定部材の周辺の様子を示した断面図である。
【図５】（ａ）、（ｂ）ともに、図４のエプロン固定部材に対しての一比較例であるエプロン固定部材の周辺の様子を示した概略図である。
【図６】（ａ）、（ｂ）ともに、図４のエプロン固定部材に対しての他の一比較例であるエプロン固定部材の周辺の様子を示した概略図である。
【図７】（ａ）、（ｂ）ともに、図４のエプロン固定部材に対してのさらに他の一比較例であるエプロン固定部材の周辺の様子を示した概略図である。
【図８】図７のエプロン固定部材に対して、エプロンが差し込まれる様子を示した概略図である。
【図９】一従来例に係る浴室床パンを示した要部のみの斜視図である。
【図１０】一従来例に係る浴室床パンの全体の概略を示した斜視図である。
【符号の説明】
１    立上条
２    浴槽
３    浴槽載置部
４    洗い場部
５    エプロン
６    浴室壁面
７    水返し
８    排水口
９    導水路
１０  エプロン固定部材
【図１】
0003775343.tif 000002
【図２】
0003775343.tif 000003
【図３】
0003775343.tif 000004
【図４】
0003775343.tif 000005
【図５】
0003775343.tif 000006
【図６】
0003775343.tif 000007
【図７】
0003775343.tif 000008
【図８】
0003775343.tif 000009
【図９】
0003775343.tif 000010
【図１０】
0003775343.tif 000011